(57)【要約】【課題】  音質が良く、壁掛け用としても見映えに優れる音響装飾物を提供する。【解決手段】  絵画４を飾るガラス３を備えた額縁２に背面側を開口した凹所２ｃを形成し、オルゴール５の前部に絵画４をガラス３に押え付ける押え板７を取り付け、オルゴール５の後部に額縁２の背面側の開口より拡径の背板６を額縁２の背面との間に隙間９が形成されるように取り付けた。この構成により、オルゴール５の音が凹所２内で共鳴して前記隙間９から音が額縁２の周囲に出るようになり、耳当たりの良い円やかな音になる。【選択図】図３
2006296774.tif 000002
【特許請求の範囲】
【請求項１】
正面に装飾面を備えた装飾物本体の背面側に凹所を形成し、同凹所内に音楽・音声を発生する音源装置を配設し、同音源装置の後部に背板を装飾物本体と所定間隔が形成されるように取り付け、音源装置の音が装飾物本体の凹所内で共鳴して前記背板との隙間から音が出るようにしたことを特徴とする、音響装飾物。
【請求項２】
背板を装飾物本体の凹所の開口より拡径する大きさに形成した、請求項１記載の音響装飾物。
【請求項３】
装飾物本体の凹所の開口周囲に背板を装飾物本体と所定間隔が形成されるように脱着可能に掛止する複数の掛止爪を備えた、請求項１又は２記載の音響装飾物。
【請求項４】
装飾物本体が絵画・写真を飾る額縁であって、額縁の正面側にガラスを設けて同ガラスに絵画・写真を取り外し可能に配置し、音源装置の前部に押え板を取り付けて絵画・写真を額縁のガラスに押え付けて固定するようにした構造である、請求項１〜３いずれか記載の音響装飾物。
【請求項５】
上面に小物入れを備えた装飾物本体の底面側に凹所を形成し、同凹所内に音楽・音声を発生する音源装置を配設し、同音源装置の下部に底板を装飾物本体と所定間隔が形成されるように取り付け、音源装置の音が装飾物本体の凹所内で共鳴して前記底板との隙間から音が出るようにしたことを特徴とする、音響装飾物。
【請求項６】
装飾物本体に小物入れを覆う蓋を設け、蓋の開閉で音源装置を作動させるスイッチを設けた、請求項５記載の音響装飾物。
【請求項７】
音源装置がオルゴールである、請求項１〜６いずれか記載の音響装飾物。
【発明の詳細な説明】
【技術分野】
【０００１】
本発明は、壁掛け用の装飾物・写真立て・小物入れ等の装飾物に音楽や音声を発生する音源装置を備えた音響装飾物に関する。
【背景技術】
【０００２】
従来、写真立てにオルゴールを備えたオルゴール付写真立てが特許文献１で提案されている。この技術は、窓部を設けた任意の形状の平板と、脚台と押え板とを一体成型したオルゴールの反響箱とから成り、前記押え板を前記平板の裏面の窓部の当てしろに当接して止め具で止め、前記音響箱内にオルゴールを取り付けた構造である。
【０００３】
ところで、前記技術ではオルゴール本体は背面側に取り付けられているから音が背面方向に聴こえ、音質の点では今一歩であった。また、壁掛け用の装飾物に前記技術のオルゴールを取り付けると、背面側が突出して壁掛け難く見映えも悪いものであった。
【特許文献１】実開平１−８００６０号公報
【発明の開示】
【発明が解決しようとする課題】
【０００４】
本発明が解決しようとする課題は、従来のこれらの問題点を解消し、従来と比較して音質が良く、壁掛け用としても見映え良く飾ることができる音響装飾物を提供することにある。
【課題を解決するための手段】
【０００５】
かかる課題を解決した本発明の構成は、
１）  正面に装飾面を備えた装飾物本体の背面側に凹所を形成し、同凹所内に音楽・音声を発生する音源装置を配設し、同音源装置の後部に背板を装飾物本体と所定間隔が形成されるように取り付け、音源装置の音が装飾物本体の凹所内で共鳴して前記背板との隙間から音が出るようにしたことを特徴とする、音響装飾物
２）  背板を装飾物本体の凹所の開口より拡径する大きさに形成した、前記１）記載の音響装飾物
３）  装飾物本体の凹所の開口周囲に背板を装飾物本体と所定間隔が形成されるように脱着可能に掛止する複数の掛止爪を備えた、前記１）又は２）記載の音響装飾物
４）  装飾物本体が絵画・写真を飾る額縁であって、額縁の正面側にガラスを設けて同ガラスに絵画・写真を取り外し可能に配置し、音源装置の前部に押え板を取り付けて絵画・写真を額縁のガラスに押え付けて固定するようにした構造である、前記１）〜３）いずれか記載の音響装飾物
５）  上面に小物入れを備えた装飾物本体の底面側に凹所を形成し、同凹所内に音楽・音声を発生する音源装置を配設し、同音源装置の下部に底板を装飾物本体と所定間隔が形成されるように取り付け、音源装置の音が装飾物本体の凹所内で共鳴して前記底板との隙間から音が出るようにしたことを特徴とする、音響装飾物
６）  装飾物本体に小物入れを覆う蓋を設け、蓋の開閉で音源装置を作動させるスイッチを設けた、前記５）記載の音響装飾物
７）  音源装置がオルゴールである、前記１）〜６）いずれか記載の音響装飾物
にある。
【発明の効果】
【０００６】
本発明によれば、音源装置の音は装飾物本体の凹所内で共鳴して背板との隙間から周囲方向に出るから、従来と比較して耳当たりの良い円やかな音となる。また、音源装置は装飾物本体の凹所内に収容される形態となるから、背面側に突起物がなくて壁掛け易く、壁面との間に大きな隙間も形成されず見映えが良い。
【発明を実施するための最良の形態】
【０００７】
本発明の装飾物本体としては、写真や絵画をテーブル等の上面に立てるもの、壁面に掛けるもの、あるいは置き物、小物入れ等がある。音源装置としては、オルゴール（電動・手動），ラジオ，ＣＤ（コンパクトディスク）等の再生プレーヤー、その他音楽や音声を発生するものが用いられる。以下、本発明の各実施例を図面に基づいて具体的に説明する。
【実施例１】
【０００８】
図１〜３に示す実施例１は、絵画を飾る壁掛け用の額縁に本発明を適用した例である。図１は実施例１の音響装飾物の斜視図、図２は実施例１の音響装飾物の分解斜視図、図３は実施例１の音響装飾物の縦断面図である。図中、１は音響装飾物、２は額縁、２ａ，２ｂは開口、２ｃは凹所、２ｄは支持片、３はガラス、４は絵画、５はオルゴール、５ａは巻き紐、６は背板、７は押え板、８は掛止爪、８ａはスペーサ、８ｂはネジ、９は隙間、１０は吊り紐、１１はピン、Ｗは壁面である。
【０００９】
実施例１の音響装飾物１は、図１〜３に示すように木製の楕円状の額縁２の正面側にガラス３を配置する開口２ａと音源装置であるオルゴール５を配置する凹所２ｃと背面側にオルゴール５を出入れする開口２ｂとがそれぞれ連通するように形成され、開口２ａの内縁にはガラス３を支持する支持片２ｄが形成され、開口２ｂの周囲には背板６の外縁を掛止する掛止爪８を４体設けている。掛止爪８はスペーサ８ａを介してネジ８ｂで回動自在に枢支されている。スペーサ８ａは背板６を額縁２から離間した状態で掛止させるもので、およそ８ｍｍの長さである。
【００１０】
オルゴール５は巻き紐５ａを備えたゼンマイ式で、その前部には絵画４をガラス３に押え付ける押え板７が取り付けられ、オルゴール５の後部には額縁２の背面側の開口２ｂより拡径の背板６が取り付けられ、ガラス３を額縁２の凹所２ｃに挿入して支持片２ｄに取り付け、ガラス３に絵画４を重ね合わせてオルゴール５に備えた押え板７で絵画４をガラス３に押え付け、背板６の外縁を掛止爪８で掛止して固定する。この状態でオルゴール５は凹所２ｃの中央部に配置され、背板６と額縁２の背面との間に８ｍｍの隙間９が形成されている。
【００１１】
このようにして構成された音響装飾物１を壁面Ｗに吊り紐１０とピン１１で掛止して飾る。下方に垂れた巻き紐５ａを引いてオルゴール５の図示しないゼンマイを巻くと、オルゴール５から所定の音楽が鳴る。音は額縁２の凹所２及び背板６で共鳴し合い、隙間９を通じて額縁２の周囲に出るとともに一部は壁面Ｗから部屋空間側に反射する。従って、オルゴール５の音は直に聴く音と比較して耳当たりの良い円やかな音となり音質が向上する。
【実施例２】
【００１２】
図４に示す実施例２は、小物入れに本発明を適用した例である。図４は実施例２の音響装飾物の縦断面図である。図中、１２は音響装飾物、１３は小物入れ本体、１３ａは小物入れ空間、１３ｂは開口、１３ｃは凹所、１３ｄは脚、１４は蓋、１４ａは把手、１５はオルゴール、１５ａはセンサ、１６は底板、１７は隙間、１８は小物、Ｔはテーブルである。
【００１３】
実施例２の音響装飾物１２は、図４に示すように小物入れ本体１３は上面に小物入れ空間１３ａと底面側を開放させた凹所１３ｃを形成するようにプラスチックで成形し、小物入れ空間１３ａを覆う蓋１４を設け、底部に小物入れ本体１３の開口１３ｂより小径の底板１６を取り付けた電動式のオルゴール１５を小物入れ空間１３ａの裏側に取り付け、底板１６と小物入れ本体１３の開口１３ｂとの間に隙間１７を形成している。蓋１４と接触する小物入れ空間１３ａの縁部には、蓋１４が非接触時にオルゴール１５を鳴らすセンサ１５ａを設けている。
【００１４】
このようにして構成された音響装飾物１２をテーブルＴ上に置いて小物１８を小物入れ空間１３ａに入れて飾る。蓋１４を取り外すとセンサ１５ａが感知してオルゴール１５から所定の音楽が鳴る。音は凹所１３ｃ及び底板１６で共鳴し合い、隙間１７を通じて小物入れ本体１３の周囲に出るとともに一部はテーブルＴから上方に反射する。従って、オルゴール１５の音は直に聴く音と比較して耳当たりの良い円やかな音となり音質が向上する。
【産業上の利用可能性】
【００１５】
本発明の音響装飾物は、壁掛け用の装飾物，写真立て，小物入れ，置物等に利用される。
【図面の簡単な説明】
【００１６】
【図１】実施例１の音響装飾物の斜視図である。
【図２】実施例１の音響装飾物の分解斜視図である。
【図３】実施例１の音響装飾物の縦断面図である。
【図４】実施例２の音響装飾物の縦断面図である。
【符号の説明】
【００１７】
１  音響装飾物
２  額縁
２ａ，２ｂ  開口
２ｃ  凹所
２ｄ  支持片
３  ガラス
４  絵画
５  オルゴール
５ａ  巻き紐
６  背板
７  押え板
８  掛止爪
８ａ  スペーサ
８ｂ  ネジ
９  隙間
１０  吊り紐
１１  ピン
１２  音響装飾物
１３  小物入れ本体
１３ａ  小物入れ空間
１３ｂ  開口
１３ｃ  凹所
１３ｄ  脚
１４  蓋
１４ａ  把手
１５  オルゴール
１５ａ  センサ
１６  底板
１７  隙間
１８  小物
Ｔ  テーブル
Ｗ  壁面
【図１】
2006296774.tif 000003
【図２】
2006296774.tif 000004
【図３】
2006296774.tif 000005
【図４】
2006296774.tif 000006